(57)【要約】【課題】  冷蔵室の冷却効率が回転仕切体からの温度影響で低下することを防止でき、回転仕切体で結露が発生することも防止できる貯蔵庫を提供すること。【解決手段】  左扉１９の閉鎖状態では連動仕切体３６が回転仕切体２８の前端部と冷蔵室１８との間に介在され、冷蔵室１８と回転仕切体２８の前端部との間が連動仕切体３６によって熱的に遮断される。このため、冷蔵室１８内の冷気が回転仕切体２８の前端部に直接的に接触すること・回転仕切体２８の前端部からの熱が冷蔵室１８内に直接的に流入することが防止されるので、冷蔵室１８の冷却効率が回転仕切体２８の前端部からの熱影響で低下することが抑えられ、回転仕切体２８の前端部で結露が発生することも抑えられる。【選択図】  図１
2005090887.tif 000002
【特許請求の範囲】
【請求項１】
貯蔵室を開閉する扉と、
前記扉に設けられたシール部材と、
前記扉が閉鎖状態で前記シール部材を介して当てられる扉当てと、
前記扉当て内に収納された熱源と、
前記扉の開閉に連動して前記扉に対して相対的に動作する可動部材とを備え、
前記可動部材は、前記扉の閉鎖状態で前記扉当ての熱源収納部と前記貯蔵室との間に介在された有効状態になり、前記扉の開放状態で前方から視覚的に認識不能な無効状態になることを特徴とする貯蔵庫。
【請求項２】
可動部材は、扉の閉鎖状態で熱源収納部と貯蔵室との間に断熱空間を形成する仕切部材から構成されていることを特徴とする請求項１記載の貯蔵庫。
【請求項３】
可動部材は、扉の開放状態で折畳まれた無効状態になる弾性部材から構成されていることを特徴とする請求項１〜２のいずれかに記載の貯蔵庫。
【請求項４】
可動部材は、扉の開放状態で扉によって前方から隠された無効状態になることを特徴とする請求項１〜２のいずれかに記載の貯蔵庫。
【請求項５】
扉の開閉に連動して状態が切換わる電気的な扉スイッチと、
可動部材を扉スイッチからの出力信号に基いて無効状態および有効状態に操作する電気的な駆動源と
を備えたことを特徴と請求項１〜２のいずれかに記載の貯蔵庫。
【請求項６】
可動部材を扉の開閉に機械的に連動して無効状態および有効状態に操作する機械的な操作機構を備えたことを特徴とする請求項１〜２のいずれかに記載の貯蔵庫。
【請求項７】
可動部材は、扉の閉鎖状態で貯蔵室内の冷気によって冷却されることに基いて有効状態に変形し、扉の開放状態で外気によって加熱されることに基いて無効状態に変形する変形部材から構成されていることを特徴とする請求項１〜２のいずれかに記載の貯蔵庫。
【請求項８】
可動部材は、扉の閉鎖状態で貯蔵室側の異極部によって磁気的に吸引されることに基いて有効状態になる磁性部材から構成されていることを特徴とする請求項１〜２のいすれかに記載の貯蔵庫。
【請求項９】
貯蔵室には、扉の開閉に連動して可動部材を操作する操作部が設けられていることを特徴とする請求項１〜２のいずれかに記載の貯蔵庫。
【発明の詳細な説明】
【技術分野】
【０００１】
本発明は、食品を冷凍保存または冷蔵保存する貯蔵室を備えた貯蔵庫に関する。
【背景技術】
【０００２】
上記貯蔵庫には、図１４に示すように、貯蔵室１０１の前面に左扉１０２および右扉１０３を左端部の垂直な軸および右端部の垂直な軸を中心に回動可能に装着した構成のものがある。この構成の場合、左扉１０２のガスケット１０４および右扉１０３のガスケット１０４を閉鎖状態で扉当て１０５の前面に密着させ、左扉１０２と右扉１０３との隙間を気密状態にシールしている。
【発明の開示】
【発明が解決しようとする課題】
【０００３】
上記従来構成の場合、扉当て１０５内の前端部にヒータ１０６を収納し、扉当て１０５の前面をヒータ１０６によって加熱することに基いて露付き防止している。しかしながら、貯蔵室１０１内の冷気が扉当て１０５に直接的に接触するので、結露の発生を十分に防止できない。しかも、貯蔵室１０１内がヒータ１０６から熱影響を直接的に受けるので、貯蔵室１０１内の冷却効率が低下する。
本発明は上記事情に鑑みてなされたものであり、その目的は、貯蔵室内の冷却効率が扉当てからの温度影響で低下することを防止でき、しかも、扉当てで結露が発生することを十分に防止できる貯蔵庫を提供することにある。
【課題を解決するための手段】
【０００４】
＜請求項１に係る発明について＞
請求項１に係る発明は扉の開閉に連動して動作する可動部材を設けたものであり、具体的には扉の閉鎖状態で扉当ての熱源収納部と貯蔵室との間に可動部材を介在し、扉の開放状態で可動部材を両者の間から脱出させるものである。この可動部材は扉の開放状態で両者の間から脱出するだけのものではなく、扉に対して相対的に動作することに基いて前方から視覚的に認識不能になるものである。以下、主な記載事項の意義について説明する。
１）扉：貯蔵室を開閉するものであり、貯蔵室とは食品を冷蔵保存または冷凍保存する保存室を称する。
２)シール部材：扉の開閉操作と共に移動する弾性部材を称する。
３)扉当て：扉が閉鎖状態でシール部材を介して当てられる相対的な剛性部材を称する。この扉の閉鎖状態ではシール部材が扉および扉当て間に介在され、弾性復元力で扉当てに密着する。即ち、扉当てはシール部材と協同して密封状態を生成するシール面を有するものである。
４)熱源：扉当ての前面等の結露忌避面を加熱することに基いて結露忌避面で結露が発生することを防止するものであり、扉当てに内蔵された電気的ヒータ・冷媒パイプ等が熱源に該当する。熱源収納部とは扉当てのうち熱源が収納された集中加熱部を称するものであり、例えば扉当ての前端部に熱源が収納されているときには扉当ての前端部が熱源収納部に相当する。
５)可動部材：扉の開閉に連動して無効状態および有効状態に変化するものである。有効状態とは可動部材が扉当ての熱源収納部と貯蔵室との間に介在された状態であり、可動部材の有効状態では貯蔵室と熱源収納部との間が可動部材によって熱的に遮断され、貯蔵室内の冷気が熱源収納部に直接的に接触すること・熱源収納部からの熱が貯蔵室内に直接的に流入することが防止される。無効状態とは可動部材が扉当ての熱源収納部と貯蔵室との間から脱出した状態であり、無効状態では可動部材が前方から視覚的に認識不能に隠れる。＜請求項２に係る発明について＞
請求項２に係る発明は可動部材として仕切部材を用いたものである。この仕切部材とは扉の閉鎖状態で熱源収納部と貯蔵室との間に別室を区画形成し、熱源収納部を別室内の空気層によって熱的に遮断するものであり、扉の開放状態では仕切部材が熱源収納部と貯蔵室との間から脱出することに基いて別室が消滅する。
＜請求項３に係る発明について＞
請求項３に係る発明は可動部材として弾性部材を用いたものである。この弾性部材とは扉の開放状態で折畳まれた無効状態になるものであり、扉の閉鎖状態では弾性部材を自身の弾性復元力で有効状態に自己復帰させることが好ましい。
＜請求項４に係る発明について＞
請求項４に係る発明は可動部材の視覚的な遮蔽手段について言及したものであり、視覚的な遮蔽手段として扉を用いたものである。具体的には可動部材を扉の後面に取付け、扉の外周面に対して非突出状態にすることで遮蔽するものである。
＜請求項５に係る発明について＞
請求項５に係る発明は可動部材を扉の開閉に電気的に連動して電気的に操作するものである。具体的には扉スイッチからの出力信号に基いて扉の閉鎖が検出されたときには駆動源を駆動制御し、可動部材を有効状態にする。また、扉スイッチからの出力信号に基いて扉の開放が検出されたときには駆動源を駆動制御し、可動部材を無効状態にする。この駆動源は電気エネルギーによって動作するものであり、例えばモータ・ソレノイド等が駆動源に該当する。
＜請求項６に係る発明について＞
請求項６に係る発明は可動部材を扉の開閉に機械的に連動して機械的に操作するものであり、具体的には扉の操作力を可動部材に伝達する伝達機構を設け、可動部材を扉の操作力で操作するものである。この場合、無効状態から有効状態への往動操作および有効状態から無効状態への復動操作の双方を扉の操作力で行っても良く、往動操作および復動操作の一方だけを扉の操作力で行っても良い。往動操作および復動操作の一方だけを扉の操作力で行うときには他方をスプリング力で行うと良い。
＜請求項７に係る発明について＞
請求項７に係る発明は可動部材として変形部材を用いたものである。この変形部材は温度に応じて形状が変わるものであり、具体的には扉の閉鎖状態では可動部材を冷気によって冷却することに基いて有効状態に変形させ、扉の開放状態では可動部材を外気によって加熱することに基いて無効状態に変形させる。
＜請求項８に係る発明について＞
請求項８に係る発明は可動部材として磁性部材を用い、扉の閉鎖状態で可動部材を貯蔵室側の異極部によって磁気的に吸引することに基いて有効状態にするものである。この場合、扉の開放操作時に可動部材を貯蔵室側の同極部によって磁気的に反発させることに基いて無効状態に動作させると良い。
＜請求項９に係る発明について＞
請求項９に係る発明は可動部材を扉の開閉に連動して操作する操作部を貯蔵室に設けたものであり、操作部とは可動部材をガイド面に沿って操作するガイド部材として機能するものである。
【発明の効果】
【０００５】
扉の閉鎖状態では可動部材が扉当ての熱源収納部と貯蔵室との間に介在され、貯蔵室と熱源収納部との間が可動部材によって熱的に遮断される。このため、貯蔵室内の冷気が熱源収納部に直接的に接触すること・熱源収納部からの熱が貯蔵室内に直接的に流入することが防止されるので、貯蔵室内の冷却効率が扉当てからの熱影響で低下することが抑えられ、扉当てで結露が発生することも抑えられる。しかも、扉の開放状態では可動部材が前方から視覚的に認識不能な状態になるので、可動部材の影響で見栄えが悪化することが防止される。
【発明を実施するための最良の形態】
【０００６】
扉当ての前端部に露付き防止用の熱源を収納する。そして、扉の閉鎖状態では扉当ての前端部と貯蔵室との間に可動部材を介在し、扉当ての前端部を貯蔵室内に対して熱的に隔絶する。また、扉の開放状態では扉当ての前端部と貯蔵室との間から可動部材を脱出させ、可動部材を使用者の目に届かない状態に隠す。以下、当該形態の具体例を図面に基いて説明する。
【実施例１】
【０００７】
本発明の第１実施例を図１〜図５に基いて説明する。冷蔵庫本体１は、図５に示すように、前面が開口する矩形箱状をなすものであり、外箱および内箱間に断熱材を充填することに基づいて構成されている。この冷蔵庫本体１内には水平な断熱仕切板２が固定されている。この断熱仕切板２は、図４に示すように、仕切ケース３内に断熱材４を収納したものであり、断熱仕切板２内の前端部には前板に沿って防露パイプ５が収納されている。この防露パイプ５は冷凍サイクルのコンデンサとエバポレータとの間に接続されたものであり、断熱仕切板２の前板は防露パイプ５内を流れる高温度の冷媒によって露付き防止される。
【０００８】
冷蔵庫本体１内には、図５に示すように、非断熱仕切板６が固定されている。この非断熱仕切板６は断熱仕切板２の上方に配置されたものであり、断熱材が収納されていない水平な板状をなしている。尚、断熱仕切板２および防露パイプ５は扉当ておよび熱源に相当するものであり、断熱仕切板２の前端部は熱源が収納された熱源収納部に相当するものである。
【０００９】
冷蔵庫本体１内には断熱仕切板２の下方に位置して冷凍室７が形成されている。この冷凍室７の前面には扉８が前後方向へスライド可能に装着されており、冷凍室７の前面は扉８のスライド操作に基づいて開閉される。また、冷蔵庫本体１内には、図４に示すように、断熱仕切板２と非断熱仕切板６との間に位置して野菜室９が形成されている。この野菜室９の前面には扉１０が前後方向へスライド可能に装着されており、野菜室９の前面は扉１０のスライド操作に基づいて開閉される。尚、野菜室９は貯蔵室に相当するものである。
【００１０】
野菜室９の扉１０には、図４に示すように、後面に位置してガスケット１１が固定されている。このガスケット１１は扉１０の外周部を周回する矩形枠状をなすものであり、扉１０の閉鎖状態ではガスケット１１の下辺部および上辺部が断熱仕切板２および非断熱仕切板６に密着し、ガスケット１１の左辺部および右辺部が冷蔵庫本体１の前面に密着する。即ち、ガスケット１１は冷蔵庫本体１・断熱仕切板２・非断熱仕切板６に対する密着力で野菜室９の前面を気密状態にシールするシール部材に相当するものである。
【００１１】
冷蔵庫本体１には扉スイッチ１２が固定されており、扉スイッチ１２はマイクロコンピュータを主体に構成された制御装置に電気的に接続されている。この扉スイッチ１２は扉１０の開閉に機械的に連動して状態が切換わるものであり、制御装置は扉スイッチ１２の状態に基いて扉１０の開閉を検出する。また、扉１０の後面にはガスケット１１の内周部に位置してドアバック１３が固定されている。このドアバック１３は後面が開口する矩形容器状をなすものであり、ドアバック１３の下面には平板状の連動仕切体１４が水平な軸１５を中心に回動可能に装着されている。尚、連動仕切体１４は可動部材および仕切部材に相当するものである。
【００１２】
連動仕切体１４の軸１５は仕切板ソレノイド１６のプランジャに機械的に連結されている。この仕切板ソレノイド１６は扉１０内に収納されたものであり、仕切板ソレノイド１６のオン状態では、図４の（ａ）に示すように、連動仕切体１４が前後方向へ水平に延びる無効状態になり、仕切板ソレノイド１６のオフ状態では、図４の（ｂ）に示すように、連動仕切体１４が後方へ向うに従って下降する有効状態に回動する。尚、仕切板ソレノイド１６は駆動源に相当するものである。
【００１３】
仕切板ソレノイド１６は制御装置に電気的に接続されており、制御装置は扉１０の開放状態では仕切板ソレノイド１６をオンすることに基いて連動仕切体１４を無効状態に回動操作し、扉１０の閉鎖状態では仕切板ソレノイド１６をオフすることに基いて連動仕切体１４を有効状態に回動操作する。この有効状態では連動仕切体１４が断熱仕切板２に接触し、連動仕切体１４と断熱仕切板２とガスケット１１との間に断熱空間１７が形成される。即ち、連動仕切体１４は扉１０の開放および閉鎖に電気的に連動して無効状態および有効状態に回動するものであり、有効状態に回動することに基いて断熱空間１７を形成し、断熱仕切板２の前端部からの熱が野菜室９内に直接的に流入すること・野菜室９内の冷気が断熱仕切板２の前端部に直接的に触れることを防止する。
【００１４】
冷蔵庫本体１内には、図５に示すように、非断熱仕切板６の上方に位置して冷蔵室１８が形成されており、冷蔵室１８内は非断熱仕切板６の貫通孔を介して下方の野菜室９内に通じている。この冷蔵室１８の前面には左扉１９および右扉２０が左端部の垂直な軸および右端部の垂直な軸を中心に回動可能に装着されており、冷蔵室１８の前面は左扉１９および右扉２０の回動操作に基いて開閉される。尚、冷蔵室１８は貯蔵室に相当するものである。
【００１５】
左扉１９の後面および右扉２０の後面には左ドアバック２１および右ドアバック２２が固定されている。これら左ドアバック２１および右ドアバック２２は後面が開口する矩形容器状をなすものであり、左ドアバック２１内および右ドアバック２２内には清涼飲料水等が収納される複数のドアポケット２３が固定されている。また、冷蔵庫本体１内には冷蔵室１８内の左下隅部に位置して製氷室２４が形成されており、製氷室２４の前面には扉２５が左端部の垂直な軸を中心に回動可能に装着されている。この製氷室２４は冷蔵室１８内に断熱仕切板２６を固定することに基いて区画されたものであり、製氷室２４の前面は扉２５の回動操作に基いて開閉される。
【００１６】
冷蔵庫本体１内には冷却装置が収納されている。この冷却装置は冷凍サイクルおよび送風機を有するものであり、冷凍サイクルのコンプレッサおよび送風機のファンモータは制御装置に電気的に接続されている。この制御装置は運転制御手段に相当するものであり、コンプレッサの駆動時には送風機を作動させ、冷凍室７内・野菜室９内・冷蔵室１８内・製氷室２４内に後方から冷風を送ることに基いて冷凍室７内・野菜室９内・冷蔵室１８内・製氷室２４内を異なる温度帯域に冷却する。
【００１７】
左ドアバック２１には、図１に示すように、垂直なブラケット２７が固定されている。このブラケット２７の先端部には垂直な柱状の回転仕切体２８が垂直な軸２９を中心に回動可能に装着されており、回転仕切体２８内の前端部には垂直な電気ヒータ３０が収納されている。この電気ヒータ３０は制御装置に電気的に接続されており、制御装置は冷蔵室１８の冷却運転時には電気ヒータ３０を駆動し、回転仕切体２８を電気ヒータ３０によって加熱することに基いて露付き防止する。尚、回転仕切体２８および電気ヒータ３０は扉当ておよび熱源に相当するものであり、回転仕切体２８の前端部は熱源が収納された熱源収納部に相当するものである。
【００１８】
回転仕切体２８の上端部には開放板３１および閉鎖板３２が形成されており、開放板３１および閉鎖板３２間には左扉１９の閉鎖状態で操作板３３が収納されている。この操作板３３は、図５に示すように、冷蔵室１８内の天井部に固定されたものであり、図１に示すように、右方から左方へ向うに従って前方へ傾斜する板状をなしている。
左扉１９の閉鎖状態では、図１に示すように、回転仕切体２８が左扉１９に沿う有効状態に回動している。この左扉１９を閉鎖状態から手前側に開放操作すると、図２に示すように、後方の開放板３１が操作板３３によって押圧操作される。すると、回転仕切体２８が矢印方向へ回動し、操作板３３が開放板３１および閉鎖板３２間から脱出する。また、左扉１９の下端部にはトーションスプリングが固定されている。このスプリングは回転仕切体２８を左扉１９に対して図２の矢印方向へ付勢するものであり、操作板３３が開放板３１および閉鎖板３２間から脱出した自由状態では回転仕切体２８がスプリング力で矢印方向へ回動し、図３に示すように、左扉１９に対して垂直な無効状態になる。
【００１９】
左扉１９を開放状態から後方へ閉鎖操作したときには開放板３１および閉鎖板３２間に操作板３３が侵入し、閉鎖板３２が操作板３３によって押圧操作される。すると、回転仕切体２８がスプリング力に抗して図２の反矢印方向へ回動し、左扉１９に沿う有効状態に復帰する。即ち、回転仕切体２８は左扉１９の開放および閉鎖に機械的に連動して無効状態および有効状態に回動するものであり、開放板３１・閉鎖板３２・操作板３３・スプリングは回転仕切体２８を左扉１９に連動して回動操作する操作機構に相当する。
【００２０】
左扉１９の後面には、図１に示すように、左ドアバック２１の外周部に位置して矩形枠状の左ガスケット３４が固定されており、左ガスケット３４の右辺部は左扉１９の閉鎖状態で回転仕切体２８の前面に密着し、左ガスケット３４の残り部分は冷蔵庫本体１の前面および非断熱仕切板６の前面に密着する。また、右扉２０の後面には右ドアバック２２の外周部に位置して矩形枠状の右ガスケット３５が固定されており、右ガスケット３５の左辺部は右扉２０の閉鎖状態で回転仕切体２８の前面に密着し、右ガスケット３５の残り部分は冷蔵庫本体１の前面および非断熱仕切板６の前面に密着する。即ち、左ガスケット３４および右ガスケット３５は左扉１９および右扉２０の閉鎖状態で冷蔵室１８の前面を気密状態にシールするシール部材に相当するものである。
【００２１】
回転仕切体２８には合成樹脂製の連動仕切体３６が固定されている。この連動仕切体３６は左扉１９および右扉２０の閉鎖状態で右ドアバック２２と回転仕切体２８と右ガスケット３５との間に断熱空間３７を形成し、回転仕切体３６の前端部からの熱が冷蔵室１８内に直接的に流入すること・回転仕切体３６の前端部に冷蔵室１８内の冷気が直接的に触れることを防止するものであり、連動仕切体３６の詳細は次の通りである。
【００２２】
連動仕切体３６は垂直なＬ字アングル状をなすものであり、連動仕切体３６の先端部にはシール部３８が形成されている。このシール部３８は先端部へ向うに従って厚さ寸法が小さくなるものであり、左扉１９および右扉２０の閉鎖状態ではシール部３８が右ドアバック２２に弾性復元力で密着した有効状態になる。尚、連動仕切体３６は可動部材・仕切部材・弾性部材に相当するものである。
【００２３】
連動仕切体３６には３個のヒンジ部３９が形成されている。これら各ヒンジ部３９はシール部３８を除く残余部分に比べて厚さ寸法が小さな部分を称するものであり、左扉１９が閉鎖状態から前方へ開放操作されたときには、図２に示すように、回転仕切体２８が矢印方向へ回動することに基いて左ドアバック２１と回転仕切体２８との隙間寸法が小さくなり、両者の間で連動仕切体３６が押圧される。すると、連動仕切体３６が３個のヒンジ部３９を中心に折畳まれた無効状態に曲がり、図３に示すように、回転仕切体２８と左ドアバック２１との間に収納されることに基いて前方から視覚的に認識不能になる。
【００２４】
左扉１９が開放状態から後方へ閉鎖操作されたときには回転仕切体２８が図２の反矢印方向へ回動し、左ドアバック２１と回転仕切体２８との隙間寸法が大きくなる。すると、連動仕切体３６が自身の弾性復元力で３個のヒンジ部３９を中心に拡がり、シール部３８が右ドアバック２２に弾性復元力で密着した有効状態に復帰する。即ち、連動仕切体３６は左扉１９および右扉２０の開放および閉鎖に機械的に連動して無効状態および有効状態に移行するものであり、連動仕切体３６の有効状態では回転仕切体２８が冷蔵室１８内から遮断された断熱空間３７内に収納され、連動仕切体３６の無効状態では連動仕切体３６が左ドアバック２１と回転仕切体２８との間に収納されることに基いて前方から視覚的に認識不能になる。
【００２５】
上記第１実施例によれば次の効果を奏する。
扉１０の閉鎖状態で連動仕切体１４を断熱仕切板２の前端部と野菜室９との間に介在し、野菜室９と断熱仕切板２の前端部との間を連動仕切体１４によって熱的に遮断した。このため、野菜室９内の冷気が断熱仕切板２の前端部に直接的に接触すること・断熱仕切板２の前端部からの熱が野菜室９内に直接的に流入することが防止されるので、野菜室９の冷却効率が断熱仕切板２の前端部からの熱影響で低下することが抑えられ、断熱仕切板２の前端部で結露が発生することも抑えられる。しかも、扉１０の開放状態で連動仕切体１４を扉１０の後方に隠したので、連動仕切体１４の影響で見栄えが悪化することが防止される。
【００２６】
左扉１９の閉鎖状態で連動仕切体３６を回転仕切体２８の前端部と冷蔵室１８との間に介在し、冷蔵室１８と回転仕切体２８の前端部との間を連動仕切体３６によって熱的に遮断した。このため、冷蔵室１８内の冷気が回転仕切体２８の前端部に直接的に接触すること・回転仕切体２８の前端部からの熱が冷蔵室１８内に直接的に流入することが防止されるので、冷蔵室１８の冷却効率が回転仕切体２８の前端部からの熱影響で低下することが抑えられ、回転仕切体２８の前端部で結露が発生することも抑えられる。しかも、左扉１９の開放状態で連動仕切体３６を回転仕切体２８と左ドアバック２１との間に隠したので、連動仕切体３６の影響で見栄えが悪化することが防止される。
【実施例２】
【００２７】
本発明の第２実施例を図６および図７に基いて説明する。
扉１０のドアバック１３の下端部には、図７に示すように、左右両端部に位置して第１のプランジャ４１が前後方向へスライド可能に装着されている。これら各第１のプランジャ４１は、図６に示すように、第１のスプリング４２のスプリング力で前方へ付勢されたものであり、各第１のプランジャ４１の前端部には上方から下方へ向うに従って後方へ傾斜する第１の傾斜面４３が形成されている。
【００２８】
ドアバック１３の下端部には左右両端部に位置して第２のプランジャ４４が上下方向へスライド可能に装着されており、各第２のスプリング４４の上端部には前方から後方へ向うに従って下降する第２の傾斜面４５が形成されている。これら各第２のプランジャ４４は第２のスプリング４６のスプリング力で上方へ付勢されたものであり、各組の第１の傾斜面４３および第２の傾斜面４５間は第１のスプリング４２および第２のスプリング４４の付勢力で相手側に接触した状態に保持されている。
【００２９】
ドアバック１３には、図７に示すように、下面に位置してブラケット４７がネジ止めされている。このブラケット４７には連動仕切体１４が回動可能に装着されており、連動仕切体１４にはトーションスプリング４８が装着されている。このトーションスプリング４８は、図６の（ａ）に示すように、扉１０の開放状態で連動仕切体１４を水平な無効状態に保持するものであり、連動仕切体１４の無効状態では第２のプランジャ４４が連動仕切体１４によって押圧されることに基いて上昇状態に保持されている。この状態では第１の傾斜面４３の略全域が第２の傾斜面４５に接触し、第１のプランジャ４１が後方へ大きく突出した状態に保持されている。
【００３０】
野菜室９内の下端部には左右両端部に位置して操作部４９が固定されており、扉１０が開放状態から後方へ閉鎖操作されたときには各第１のプランジャ４１が操作部４９に接触し、前方へスライドする。すると、第２の傾斜面４５が第１の傾斜面４３によって押圧され、第２のプランジャ４４が下方へスライドする。すると、連動仕切体１４が第２のプランジャ４４によって押圧され、図６の（ｂ）に示すように、トーションスプリング４８のスプリング力に抗して有効状態に回動する。尚、第１のプランジャ４１・第１のスプリング４２・第２のプランジャ４４・第２のスプリング４６・トーションスプリング４８・操作部４９は連動仕切体１４を扉１０の開放および閉鎖に機械的に連動して操作する機械的な操作機構５０を構成するものである。
【実施例３】
【００３１】
本発明の第３実施例を図８〜図９に基いて説明する。
冷蔵庫本体１には、図９に示すように、野菜室９内の左右両端部に位置して突状のガイド部５１が形成されており、扉１０が開放状態から閉鎖操作されたときには、図８の（ｂ）に示すように、連動仕切体１４がガイド部５１の傾斜面５２によって押圧操作され、有効状態に回動する。また、扉１０が閉鎖状態から開放操作されたときには、図８の（ａ）に示すように、連動仕切体１４がトーションスプリング４８のスプリング力で無効状態に回動する。尚、ガイド部５１は操作部に相当するものである。
【実施例４】
【００３２】
本発明の第４実施例を図１０〜図１１に基いて説明する。
扉１０のブラケット４７には、図１０に示すように、連動仕切体６１が回動可能およびスライド可能に装着されており、連動仕切体６１には開口部６２が形成されている。また、野菜室９の内面には、図１１に示すように、左右両端部に位置して突状のガイド部６３が形成されており、両ガイド部６３は、図１０の（ｂ）に示すように、扉１０の閉鎖状態で連動仕切体６１の開口部６２内に嵌合している。この状態では連動仕切体６１が垂直な有効状態に回動することに基いて下方の断熱仕切板２に接触し、連動仕切体６１と断熱仕切板２とガスケット１１との間に断熱空間１７が形成されている。尚、連動仕切体６１は可動部材・仕切部材に相当するものであり、ガイド部６３は操作部に相当するものである。
【００３３】
扉１０が閉鎖状態から前方へ開放操作されたときには開口部６２の内周面がガイド部６３によって押圧され、図１０の（ａ）に示すように、連動仕切体６１が回動およびスライドすることに基いて水平な無効状態に移行する。即ち、連動仕切体６１は扉１０の開放および閉鎖に機械的に連動して無効状態および有効状態に移動するものであり、連動仕切体６１の有効状態では連動仕切体６１が野菜室９と断熱仕切板２の前端部との介在されることに基いて断熱空間１７が形成される。
【実施例５】
【００３４】
本発明の第５実施例を図１２に基いて説明する。
断熱仕切板２には野菜室９内に位置して着磁部７１が形成されており、着磁部７１の後半部はＳ極に着磁され、着磁部７１の前半部はＮ極に着磁されている。また、連動仕切体１４の後半部および前半部は断熱仕切板２とは逆のＮ極およびＳ極に着磁されており、扉１０の閉鎖状態では、図１２の（ｂ）に示すように、連動仕切体１４のＮ極部７２が磁気吸引力で着磁部７１のＳ極部７３に吸引されることに基いて有効状態に回動する。尚、連動仕切体１４は磁性部材に相当するものであり、着磁部７１のＳ極部７３は異極部に相当するものである。
【００３５】
扉１０が閉鎖状態から開放操作されたときには連動仕切体１４のＮ極部７２が着磁部７１のＮ極部７４と対向することに基いて磁気反発力を受け、図１０の（ａ）に示すように、連動仕切体１４が水平な無効状態に回動する。また、扉１０が開放状態から閉鎖操作されたときには連動仕切体１４のＮ極部７２が着磁部７１のＳ極部７３と対向することに基いて磁気吸引力を受け、連動仕切体１４が有効状態に回動する。
【実施例６】
【００３６】
本発明の第６実施例を図１３に基いて説明する。
ドアバック１３のブラケット４７には連動仕切体８１の前端部が固定されている。この連動仕切体８１は形状記憶合金を材料に形成されたものであり、扉１０の閉鎖状態では、図１３の（ｂ）に示すように、連動仕切体８１が野菜室９内の冷気で冷却されることに基いて有効状態に変形する。この連動仕切体８１の有効状態では連動仕切体１４が野菜室９と断熱仕切板２の前端部との介在されることに基いて断熱空間１７が形成される。また、扉１０の開放状態では、図１０の（ａ）に示すように、連動仕切体８１が外気で加温されることに基いて水平な無効状態に変形する。尚、連動仕切体８１は可動部材・仕切部材・変形部材に相当するものである。
（その他実施例）
上記第１〜第６実施例においては、連動仕切体１４・連動仕切体６１・連動仕切体８１を野菜室９の扉１０に装着したが、これに限定されるものではなく、例えば冷凍室７の扉８に装着したり、製氷室２４の扉２５に装着しても良い。
【００３７】
上記第１〜第６実施例においては、連動仕切体１４・連動仕切体３６・連動仕切体６１・連動仕切体８１を扉１０等の開放状態で前方から視覚的に認識不能に隠したが、これに限定されるものではなく、例えば前方から視覚的に認識可能に露出させても良い。
【図面の簡単な説明】
【００３８】
【図１】本発明の第１実施例を示す図（回転仕切体および連動仕切体を左扉の閉鎖状態で示す図）
【図２】回転仕切体および連動仕切体を左扉の開放途中状態で示す図
【図３】回転仕切体および連動仕切体を左扉の開放状態で示す図
【図４】（ａ）は連動仕切体を扉の開放状態で示す図、（ｂ）は連動仕切体を扉の閉鎖状態で示す図
【図５】冷蔵庫の外観を示す斜視図
【図６】本発明の第２実施例を示す図４相当図
【図７】ドアバック・ブラケット・連動仕切体・トーションスプリング等を分解状態で示す斜視図
【図８】本発明の第３実施例を示す図４相当図
【図９】内箱のガイド部を示す斜視図
【図１０】本発明の第４実施例を示す図４相当図
【図１１】図９相当図
【図１２】本発明の第５実施例を示す図４相当図
【図１３】本発明の第６実施例を示す図４相当図
【図１４】従来例を示す図１相当図
【符号の説明】
【００３９】
２は断熱仕切板（扉当て）、５は防露パイプ（熱源）、９は野菜室（貯蔵室）、１０は扉、１１はガスケット（シール部材）、１２は扉スイッチ、１４は連動仕切体（可動部材，仕切部材，磁性部材）、１６は仕切板ソレノイド（駆動源）、１７は断熱空間、１８は冷蔵室（貯蔵室）、１９は左扉（扉）、２８は回転仕切体（扉当て）、３０はヒータ（熱源）、３４は左ガスケット（シール部材）、３６は連動仕切体（可動部材，仕切部材，弾性部材）、３７は断熱空間、５０は操作機構、５１はガイド部（操作部）、６１は連動仕切体（可動部材，仕切部材）、６３はガイド部（操作部）、７３はＳ極部（異極部）、８１は連動仕切体（可動部材，仕切部材，変形部材）を示している。
【図１】
2005090887.tif 000003
【図２】
2005090887.tif 000004
【図３】
2005090887.tif 000005
【図４】
2005090887.tif 000006
【図５】
2005090887.tif 000007
【図６】
2005090887.tif 000008
【図７】
2005090887.tif 000009
【図８】
2005090887.tif 000010
【図９】
2005090887.tif 000011
【図１０】
2005090887.tif 000012
【図１１】
2005090887.tif 000013
【図１２】
2005090887.tif 000014
【図１３】
2005090887.tif 000015
【図１４】
2005090887.tif 000016